(57)【要約】【課題】本発明は、構内に敷設する時の取扱い性の向上に寄与することができる光ケーブルを提供することにある。【解決手段】Ｘ型介在１３に設けられたＸ字形状の隔壁１３ａ〜１３ｄがなす扇形状のそれぞれの空隙領域１５ａ〜１５ｄに３本の光ファイバ１７を収容配置し、Ｘ型介在１３の外周から外被１９を被覆して光ケーブル１１を形成する。【選択図】　　　図１
2004020954.tif 000002
【特許請求の範囲】
【請求項１】
光ファイバと、
Ｘ字形状の隣り合う隔壁がなすそれぞれの扇形状の空隙領域に複数の前記光ファイバを収容配置するＸ型介在と、
前記Ｘ型介在を外周から被覆する外被とからなることを特徴とする光ケーブル。
【請求項２】
光ファイバと、
前記光ファイバに縦添えするとともに該光ファイバに加わる外力を緩和する繊維材と、
Ｘ字形状の隣り合う隔壁がなすそれぞれの扇形状の空隙領域に複数の前記光ファイバとともに繊維材を収容配置するＸ型介在と、
前記Ｘ型介在を外周から被覆する外被とからなることを特徴とする光ケーブル。
【請求項３】
光ファイバと、
Ｘ字形状の隣り合う隔壁がなすそれぞれの扇形状の空隙領域に複数の前記光ファイバを収容配置するＸ型介在と、
前記光ファイバを収容配置したＸ型介在の外周を押え巻きする押えテープと、
前記光ファイバに加わる外力を緩和するとともに前記押えテープの外周に縦添え又は横巻きする繊維材と、
前記繊維材の外周を被覆する外被とからなることを特徴とする光ケーブル。
【請求項４】
光ファイバと、
Ｘ字形状の隣り合う隔壁がなすそれぞれの扇形状の空隙領域に複数の前記光ファイバを収容配置するとともに光ファイバに加わる長手方向の張力を緩和する抗張力体を有するＸ型介在と、
前記光ファイバを収容配置したＸ型介在の外周を押え巻きする押えテープと、
前記押えテープの外周を被覆する外被とからなることを特徴とする光ケーブル。
【請求項５】
それぞれの空隙領域に収容配置する光ファイバには、１本目にそれぞれの空隙領域を表す識別色を塗布し、２本目以降は心線番号を表す識別色を塗布しておくことを特徴とする請求項１乃至４項の何れか１つに記載の光ケーブル。
【請求項６】
前記抗張力体は、
前記Ｘ型介在の中心部に設けられた鋼線又はＦＲＰからなることを特徴とする請求項４記載の光ケーブル。
【請求項７】
前記Ｘ型介在の扇形状の空隙領域に収納した光ファイバは、
ＳＺ撚または一方向撚を施してなることを特徴とする請求項１乃至４項の何れか１つに記載の光ケーブル。
【請求項８】
前記Ｘ型介在と前記光ファイバをＳＺ撚または一方向撚で一体化したことを特徴とする請求項１乃至４項の何れか１つに記載の光ケーブル。
【発明の詳細な説明】
【０００１】
【発明の属する技術分野】
本発明は、構内のデータ伝送に用いる光ケーブルに関し、特に、敷設時の取扱い性の向上に寄与することができる光ケーブルに関する。
【０００２】
【従来の技術】
従来、構内のデータ伝送に用いる光ケーブルとしては、図６〜図８に示す心線バンドル型光ケーブル１０１、光コード層型光ケーブル１１１およびスロット型光ケーブル１２１が知られている。
まず、心線バンドル型光ケーブル１０１は、図６に示すように、心線となる複数の光ファイバ１０３を撚り合わせてその外周に抗張力繊維１０５を配置し、さらにその外周から外被１０７を被覆した構造のものである。
【０００３】
また、光コード層型光ケーブル１１１は、図７に示すように、中心介在１１３を中心に光コード１１５を集合配置し、その外周に押えテープ１１７を横巻きし、その外周に外被１１９を被覆した構造のものである。
さらに、スロット型光ケーブル１２１は、図８に示すように、中心部に鋼線１２３が設けられＵ字形状の溝を有する溝付きスロット１２５のそれぞれの溝に心線となる光ファイバ１２７を配置し、その外周に押えテープ１２９を横巻きし、その外周に外被１３１を被覆した構造のものである。
【０００４】
【発明が解決しようとする課題】
従来の光ケーブルにあっては、以下のような問題があった。
まず、心線バンドル型光ケーブル１０１では、抗張力繊維１０５内に配置された各心線の位置が乱れ易く、心線に付加された心線番号との対応が難しくなるので、全心線を異なる色などを塗布して識別しなければならなかった。このため、類似色を使用すると心番対照時に間違えを起こしやすく、誤配線の原因となるといった問題があった。
【０００５】
また、光コード層型光ケーブル１１１では、光コード１１５を用いているので、ケーブルの外径が太くなり、可とう性が低下するといった問題があった。
さらに、スロット型光ケーブル１２１では、光ファイバの位置を保持するために溝付きスロット１２５を設けているので、ケーブルの外径が太くなり、可とう性が低下するといった問題があった。
【０００６】
また、従来の光ケーブルにあっては、光ケーブルに曲がりが加わった場合、光ファイバは動き難いので、光ファイバに歪みがかかり易かった。
そこで、光ファイバにかかる歪みを緩和することができ、また、光ケーブルの可とう性の向上に寄与することができ、光ケーブルに長手方向の張力が加わった場合でも光ファイバにその応力が影響しないように緩和して保護することができ、さらに、容易に心線番号を識別することができるといった敷設時の取扱い性の向上に寄与することができる光ケーブルが要望されていた。
本発明は、構内に敷設する時の取扱い性の向上に寄与することができる光ケーブルを提供することにある。
【０００７】
【課題を解決するための手段】
請求項１記載の発明は、上記課題を解決するため、光ファイバと、Ｘ字形状の隣り合う隔壁がなすそれぞれの扇形状の空隙領域に複数の前記光ファイバを収容配置するＸ型介在と、前記Ｘ型介在を外周から被覆する外被とからなることを要旨とする。
【０００８】
請求項２記載の発明は、上記課題を解決するため、光ファイバと、前記光ファイバに縦添えするとともに該光ファイバに加わる外力を緩和する繊維材と、Ｘ字形状の隣り合う隔壁がなすそれぞれの扇形状の空隙領域に複数の前記光ファイバとともに繊維材を収容配置するＸ型介在と、前記Ｘ型介在を外周から被覆する外被とからなることを要旨とする。
【０００９】
請求項３記載の発明は、上記課題を解決するため、光ファイバと、Ｘ字形状の隣り合う隔壁がなすそれぞれの扇形状の空隙領域に複数の前記光ファイバを収容配置するＸ型介在と、前記光ファイバを収容配置したＸ型介在の外周を押え巻きする押えテープと、前記光ファイバに加わる外力を緩和するとともに前記押えテープの外周に縦添え又は横巻きする繊維材と、前記繊維材の外周を被覆する外被とからなることを要旨とする。
【００１０】
請求項４記載の発明は、上記課題を解決するため、光ファイバと、Ｘ字形状の隣り合う隔壁がなすそれぞれの扇形状の空隙領域に複数の前記光ファイバを収容配置するとともに光ファイバに加わる長手方向の張力を緩和する抗張力体を有するＸ型介在と、前記光ファイバを収容配置したＸ型介在の外周を押え巻きする押えテープと、前記押えテープの外周を被覆する外被とからなることを要旨とする。
【００１１】
請求項５記載の発明は、上記課題を解決するため、それぞれの空隙領域に収容配置する光ファイバには、１本目にそれぞれの空隙領域を表す識別色を塗布し、２本目以降は心線番号を表す識別色を塗布しておくことを要旨とする。
【００１２】
請求項６記載の発明は、上記課題を解決するため、前記抗張力体は、Ｘ型介在の中心部に設けられた鋼線又はＦＲＰからなることを要旨とする。
【００１３】
請求項７記載の発明は、上記課題を解決するため、前記Ｘ型介在の扇形状の空隙領域に収納した光ファイバは、ＳＺ撚または一方向撚を施してなることを要旨とする。
【００１４】
請求項８記載の発明は、上記課題を解決するため、前記Ｘ型介在と前記光ファイバをＳＺ撚または一方向撚で一体化したことを要旨とする。
【００１５】
【発明の実施の形態】
以下、本発明の実施の形態を図面を参照して説明する。
（第１の実施の形態）
図１は、本発明の第１の実施の形態に係る光ケーブル１１の構成を示す断面図である。
【００１６】
光ケーブル１１は、Ｘ型介在１３に設けられたＸ字形状の隔壁１３ａ〜１３ｄがなす扇形状のそれぞれの空隙領域１５ａ〜１５ｄに３本の光ファイバ１７が収容配置され、Ｘ型介在１３の外周から外被１９が被覆されている。なお、上述したＸ型介在１３は隔壁１３ａ〜１３ｄによりＸ字形状が形成されると記載したが、隔壁１３ａ〜１３ｄは隣り合う隔壁が直交しているものも含むこととする。
【００１７】
Ｘ型介在１３は、樹脂材としてポリエチレンＰＥからなり、中心部から４方に放射状に延びる４つの隔壁１３ａ〜１３ｄによりＸ字形状をなしており、それぞれ隣り合う隔壁は扇形状の空隙領域１５ａ〜１５ｄをなしている。
外被１９は、ポリ塩化ビニルＰＶＣ、ポリオレフィン系材からなるリサイクル利用可能なエコ材、ＮＨＰＥ材が好ましい。
【００１８】
上述したエコ材は、ノンハロゲン難燃性樹脂組成物から成っており、特に、ポリオレフィン系樹脂１００重量部に対して、金属水酸化物２０重量部以上５０重量部未満、および難燃補助剤２重量部以上１０重量部未満を添加してなり、比重が１．１４以下、酸素指数が２４以上３４以下で、被覆材料として用いたときにＪＩＳ　Ｃ３００５に制定される６０゜傾斜燃焼試験に合格するものである。また、このエコ材は、ノンハロゲン難燃性樹脂組成物から成っており、特に、ポリオレフィン系樹脂１００重量部に対して、金属水酸化物２０重量部以上５０重量部未満、赤リン０．５重量部以上２．５重量部未満、およびカーボンブラック１重量部以上６重量部未満を添加してなり、比重が１．１４以下、酸素指数が２４以上３４以下で、被覆材料として用いたときにＪＩＳ　Ｃ３００５に制定される６０゜傾斜燃焼試験に合格するものでも良い。
【００１９】
次に、図１を参照して、光ケーブル１１の作用効果について説明する。
まず、Ｘ型介在１３に設けられたＸ字形状の隔壁１３ａ〜１３ｄがなす扇形状のそれぞれの空隙領域１５ａ〜１５ｄに３本の光ファイバ１７を収容配置し、Ｘ型介在１３の外周から外被１９を被覆して光ケーブル１１を形成する。
【００２０】
この結果、Ｘ型介在１３により確保されたそれぞれの空隙領域１５ａ〜１５ｄに３本の光ファイバ１７を収容配置して、外周から外被１９を被覆することができるので、Ｘ型介在１３により分離されたそれぞれの空隙領域１５ａ〜１５ｄのクリアランスにより光ファイバは動き易くなり、光ケーブルに曲がりが加わった場合でも、光ファイバにかかる歪みを緩和することができる。また、従来の光コード層型光ケーブルやスロット型光ケーブルに比べ、同心数の場合には、光ファイバ以外の部分の断面積比が小さくなるので、光ケーブルの外径を小さくすることができ、また、光ケーブルの可とう性の向上に寄与することができる。従って、構内に敷設する時の取扱い性の向上に寄与することができる。
【００２１】
また、Ｘ型介在１３により確保されたそれぞれの空隙領域１５ａ〜１５ｄに収容配置する３本の光ファイバには、まず任意の１本目に当該空隙領域を表す識別色を塗布し、２本目以降は心線番号を表す識別色を塗布しておく。
【００２２】
ここで、図２に示す表を参照して、心線番号の識別方法を説明する。
Ｘ型介在１３により分離された空隙領域ａ（１５ａに相当する）に３本１組の光ファイバを収容配置する場合、図２に示すように、まず任意の１本目の心線番号１−１の光ファイバの側面に当該空隙領域を表す識別色である「青」色の塗料を塗布する。また、２本目以降は心線番号１−２，１−３の光ファイバの側面に、心線番号１−２，１−３を表すそれぞれの識別色である「紫」色，「白」色の塗料を塗布する。
【００２３】
同様に、空隙領域ｂ（１５ｂに相当する）に３本１組の光ファイバを収容配置する場合、図２に示すように、まず任意の１本目の心線番号２−１、２本目以降の心線番号２−２，２−３の光ファイバの側面にそれぞれを表す「黄」色，「紫」色，「白」色の塗料を塗布する。同様にして空隙領域ｃ，ｄにそれぞれ収容配置される光ファイバの側面に、図２に示すように、適宜指定された色の塗料を塗布しておく。
【００２４】
このように、ある空隙領域に収容すべき３本の光ファイバのうちの任意の１本に空隙領域を識別するために異なる色の塗料を塗布し、他の２本には心線番号を表す異なる２色の塗料を塗布して色分けするようにしておけば、１本の光ケーブル１１に収容された１２本の光ファイバの心線を識別するための色は６色で済むことになる。
【００２５】
この結果、敷設された光ケーブル１１のうちの１本の心線番号を識別する場合、まず初めに３本１組になっているうちの何れか１本に「青」色があれば空隙領域ａと識別でき、さらに、識別対象となる光ファイバが「白」色であれば心線番号１−３と識別することができる。
【００２６】
従って、空隙領域内の心数も少なくなることから、容易に心線番号を識別することができ、誤配線を防止することができる。
なお、本実施の形態においては、１本の光ケーブルに１２本の光ファイバの心線を収容する場合について説明したが、本発明はこのような場合に限定されるものではなく、１本の光ケーブルに１２本以上の光ファイバの心線を収容する場合についても心線番号を識別するための識別色を追加すればよい。具体的には、１本の光ケーブルに１６本の光ファイバの心線を収容する場合には７色必要であり、１本の光ケーブルに２０本の光ファイバの心線を収容する場合には８色必要であり、光ファイバの心線を１本追加する毎に１色追加すればよい。
【００２７】
さらに、Ｘ型介在１３の扇形状の空隙領域１５ａ〜１５ｄに収納した３本の光ファイバに対しては、Ｘ型介在１３への収納に先立って、長手方向に右方向撚（Ｓ撚）と左方向撚（Ｚ撚）を交互に同一撚数だけ繰り返すＳＺ撚または一方向撚を施すことで、光ケーブル１１が曲げられてもＳＺ撚又は一方向撚された光ファイバ１７が空隙領域１５ａ〜１５ｄ内を移動するので、光ファイバにかかる歪みを緩和することができる。
【００２８】
また、Ｘ型介在１３に光ファイバ１７を収納した後に、長手方向にＳＺ撚または一方向撚で一体化することで、光ケーブル１１が曲げられてもＳＺ撚または一方向撚された光ファイバ１７が空隙領域１５ａ〜１５ｄ内を移動するので、光ファイバにかかる歪みを緩和することができる。
従って、構内に敷設する時の取扱い性の向上に寄与することができる。
【００２９】
（第２の実施の形態）
図３は、本発明の第２の実施の形態に係る光ケーブル３１の構成を示す断面図である。なお、光ケーブル３１の基本的構成は図１に示す構成とほぼ同様であり、同様の部分の説明を省略する。
光ケーブル３１は、３本の光ファイバ１７に抗張力繊維材３３が縦添えされて収容され、Ｘ型介在１３に設けられたＸ字形状の隔壁１３ａ〜１３ｄがなす扇形状のそれぞれの空隙領域１５ａ〜１５ｄに複数の光ファイバ１７とともに抗張力繊維材３３が収容配置され、Ｘ型介在１３の外周から外被１９が被覆されている。
【００３０】
抗張力繊維材３３は、例えば張力に対して伸縮し難いアラミド繊維からなり、光ケーブル３１に長手方向の張力が加わった場合にその張力を受け持ち、光ファイバ１７にその応力が影響しないように緩和して保護している。
【００３１】
次に、図３を参照して、光ケーブル３１の作用効果について説明する。
まず、３本の光ファイバ１７を１まとめにして抗張力繊維材３３に縦添えされて収容しながら、Ｘ型介在１３に設けられたＸ字形状の隔壁１３ａ〜１３ｄがなす扇形状のそれぞれの空隙領域１５ａ〜１５ｄに収容配置し、さらに、Ｘ型介在１３の外周から外被１９を被覆して光ケーブル３１を形成する。
【００３２】
この結果、Ｘ型介在１３により確保されたそれぞれの空隙領域１５ａ〜１５ｄに３本の光ファイバ１７を１まとめにして抗張力繊維材３３とともに収容配置して、外周から外被１９を被覆するので、光ケーブル３１に長手方向の張力が加わった場合にその張力を抗張力繊維材３３により受け持つことができ、光ファイバ１７にその応力が影響しないように緩和して保護することができる。
【００３３】
従って、Ｘ型介在１３による空隙領域１５ａ〜１５ｄのクリアランスにより、抗張力繊維材３３を集合した時の張力に多少のアンバランスがあってもそれが弾性領域内の場合には、張力が解放されたときに光ファイバ１７はある程度自由に動くことができるので、光ファイバ１７の線長差を小さくすることができる。また、従来の光コード層型光ケーブルやスロット型光ケーブルに比べ、同心数の場合には、光ファイバ以外の部分の断面積比が小さくなるので、光ケーブルの外径を小さくすることができ、また、光ケーブルの可とう性の向上に寄与することができる。従って、構内に敷設する時の取扱い性の向上に寄与することができる。
【００３４】
また、第２の実施の形態においても、第１の実施の形態と同様に図２に示す表を用いて光ファイバ１７に適宜指定された色の塗料を塗布しておけば、心線番号を識別することができ、誤配線を防止することができる。
【００３５】
さらに、Ｘ型介在１３の扇形状の空隙領域１５ａ〜１５ｄに収納した３本の光ファイバ１７に対しては、Ｘ型介在１３への収納に先立って、長手方向に右方向撚（Ｓ撚）と左方向撚（Ｚ撚）を交互に同一撚数だけ繰り返すＳＺ撚又は一方向撚を施してから抗張力繊維材３３を縦添えすることで、光ケーブル１１が曲げられてもＳＺ撚された光ファイバ１７が空隙領域１５ａ〜１５ｄ内を移動するので、光ファイバにかかる歪みを緩和することができる。
【００３６】
また、Ｘ型介在１３に抗張力繊維材３３が縦添えされた光ファイバ１７を収納した後に、長手方向にＳＺ撚または一方向撚で一体化することで、光ケーブル１１が曲げられてもＳＺ撚または一方向撚された光ファイバ１７が空隙領域１５ａ〜１５ｄ内を移動するので、光ファイバにかかる歪みを緩和することができる。従って、構内に敷設する時の取扱い性の向上に寄与することができる。
【００３７】
（第３の実施の形態）
図４は、本発明の第３の実施の形態に係る光ケーブル４１の構成を示す断面図である。なお、光ケーブル４１の基本的構成は図１に示す構成とほぼ同様であり、同様の部分の説明を省略する。
光ケーブル４１は、Ｘ型介在１３に設けられたＸ字形状の隔壁１３ａ〜１３ｄがなす扇形状のそれぞれの空隙領域１５ａ〜１５ｄに３本の光ファイバ１７が収容配置され、Ｘ型介在１３の外周に押えテープ４３が押え巻きされ、さらに、押えテープ４３の外周に抗張力繊維材４５が一方向に添え巻きされ、抗張力繊維材４５の外周から外被１９が被覆されている。
【００３８】
押えテープ４３は、厚さ０．０５ｍｍ、幅１０ｍｍのポリエチレンＰＥからなるテープであり、光ファイバ１７を収容配置したＸ型介在１３の外周に押え巻きされる。
【００３９】
抗張力繊維材４５は、上述したアラミド繊維からなり、光ファイバ１７を収容配置したＸ型介在１３の外周に押えテープ４３が巻かれた後に、その外周に抗張力繊維材４５が巻かれることで、光ケーブル４１に長手方向の張力が加わった場合の張力を受け持ち、光ファイバ１７にその応力が影響しないように緩和して保護している。
【００４０】
次に、図４を参照して、光ケーブル４１の作用効果について説明する。
まず、Ｘ型介在１３に設けられたＸ字形状の隔壁１３ａ〜１３ｄがなす扇形状のそれぞれの空隙領域１５ａ〜１５ｄに３本の光ファイバ１７を収容配置し、Ｘ型介在１３の外周から押えテープ４３を押え巻きする。さらに、その外周に抗張力繊維材４５を縦添え又は横巻きし、最後に、外被１９を被覆して光ケーブル４１を形成する。
【００４１】
この結果、Ｘ型介在１３により確保されたそれぞれの空隙領域１５ａ〜１５ｄに３本の光ファイバ１７を収容配置して、外周から外被１９を被覆することができるので、Ｘ型介在１３により分離されたそれぞれの空隙領域１５ａ〜１５ｄのクリアランスにより光ファイバは動き易くなり、光ケーブルに曲がりが加わった場合でも、光ファイバにかかる歪みを緩和することができる。
【００４２】
同時に、光ファイバ１７を収容配置したＸ型介在１３を押さえる押えテープ４３と外被１９との間に抗張力繊維材４５を縦添え又は横巻きすることで、光ケーブル４１に長手方向の張力が加わった場合にその張力を受け持ち、光ファイバ１７にその応力が影響しないように緩和して保護することができる。
【００４３】
また、従来の光コード層型光ケーブルやスロット型光ケーブルに比べ、同心数の場合には、光ファイバ以外の部分の断面積比が小さくなるので、光ケーブルの外径を小さくすることができ、また、光ケーブルの可とう性の向上に寄与することができる。従って、構内に敷設する時の取扱い性の向上に寄与することができる。
【００４４】
さらに、第３の実施の形態においても、第１の実施の形態と同様に図２に示す表を用いて光ファイバ１７に適宜指定された色の塗料を塗布しておけば、心線番号を識別することができ、誤配線を防止することができる。
【００４５】
さらに、Ｘ型介在１３の扇形状の空隙領域１５ａ〜１５ｄに収納した３本の光ファイバ１７に対しては、Ｘ型介在１３への収納に先立って、長手方向に右方向撚（Ｓ撚）と左方向撚（Ｚ撚）を交互に同一撚数だけ繰り返すＳＺ撚又は一方向撚を施すことで、光ケーブル１１が曲げられてもＳＺ撚又は一方向撚された光ファイバ１７が空隙領域１５ａ〜１５ｄ内を移動するので、光ファイバにかかる歪みを緩和することができる。
【００４６】
また、Ｘ型介在１３に光ファイバ１７を収納した後に、長手方向にＳＺ撚または一方向撚で一体化することで、光ケーブル１１が曲げられてもＳＺ撚または一方向撚された光ファイバ１７が空隙領域１５ａ〜１５ｄ内を移動するので、光ファイバにかかる歪みを緩和することができる。
従って、構内に敷設する時の取扱い性の向上に寄与することができる。
【００４７】
（第４の実施の形態）
図５は、本発明の第４の実施の形態に係る光ケーブル５１の構成を示す断面図である。なお、光ケーブル５１の基本的構成は図１に示す構成とほぼ同様であり、同様の部分の説明を省略する。
光ケーブル５１は、中心部に抗張力体５３を有するＸ型介在５５に設けられたＸ字形状の隔壁５５ａ〜５５ｄがなす扇形状のそれぞれの空隙領域１５ａ〜１５ｄに３本の光ファイバ１７が収容配置され、Ｘ型介在５５の外周に押えテープ４３が押え巻きされ、さらに、押えテープ４３の外周に外被１９が被覆されている。
【００４８】
抗張力体５３は、ＦＲＰ（Ｆｉｂｅｒｇｌａｓｓ　Ｒｅｉｎｆｏｒｃｅｄ　Ｐｌａｓｔｉｃｓ）や鋼線などからなり、Ｘ型介在５５の中心部に設けられており、光ケーブル５１に長手方向の張力が加わった場合の張力を受け持ち、光ファイバ１７にその応力が影響しないように緩和して保護する。なお、抗張力体５３の外径は、０．４ｍｍ、０．７ｍｍ、０．９５ｍｍなどのものが適しており、破断強度によって使い分けるようにする。
【００４９】
次に、図５を参照して、光ケーブル５１の作用効果について説明する。
まず、中心部に抗張力体５３を有するＸ型介在５５に設けられたＸ字形状の隔壁５５ａ〜５５ｄがなす扇形状のそれぞれの空隙領域１５ａ〜１５ｄに３本の光ファイバ１７を収容配置し、Ｘ型介在５５の外周から押えテープ４３を押え巻きする。さらに、その外周に外被１９を被覆して光ケーブル５１を形成する。
【００５０】
この結果、Ｘ型介在５５により確保されたそれぞれの空隙領域１５ａ〜１５ｄに３本の光ファイバ１７を収容配置して、外周から外被１９を被覆することができるので、Ｘ型介在５５により分離されたそれぞれの空隙領域１５ａ〜１５ｄのクリアランスにより光ファイバは動き易くなり、光ケーブル５１に曲がりが加わった場合でも、光ファイバにかかる歪みを緩和することができる。
【００５１】
同時に、光ファイバ１７を収容配置したＸ型介在５５の中心部に抗張力体５３を設けているので、光ケーブル４１に長手方向の張力が加わった場合にその張力を受け持ち、光ファイバ１７にその応力が影響しないように緩和して保護することができる。
【００５２】
特に、中心部に抗張力体５３を有するＸ型介在５５を使用した構造は、引っ張りに強いので、光ケーブル５１の敷設時に、張力が必要となるクリアランスの小さい管路や、曲がりの多い管路での取り扱いが向上する。従って、構内に敷設する時の取扱い性の向上に寄与することができる。
【００５３】
また、従来の光コード層型光ケーブルやスロット型光ケーブルに比べ、同心数の場合には、光ファイバ以外の部分の断面積比が小さくなるので、光ケーブルの外径を小さくすることができ、また、光ケーブルの可とう性の向上に寄与することができる。
【００５４】
また、第４の実施の形態においても、第１の実施の形態と同様に図２に示す表を用いて光ファイバ１７に適宜指定された色の塗料を塗布しておけば、心線番号を識別することができ、誤配線を防止することができる。
【００５５】
さらに、Ｘ型介在５５の扇形状の空隙領域１５ａ〜１５ｄに収納した３本の光ファイバ１７に対しては、Ｘ型介在５５への収納に先立って、長手方向に右方向撚（Ｓ撚）と左方向撚（Ｚ撚）を交互に同一撚数だけ繰り返すＳＺ撚又は一方向撚を施すことで、光ケーブル５１が曲げられてもＳＺ撚又は一方向撚された光ファイバ１７が空隙領域１５ａ〜１５ｄ内を移動するので、光ファイバにかかる歪みを緩和することができる。
【００５６】
また、Ｘ型介在５５に光ファイバ１７を収納した後に、長手方向にＳＺ撚または一方向撚で一体化することで、光ケーブル５１が曲げられてもＳＺ撚または一方向撚された光ファイバ１７が空隙領域１５ａ〜１５ｄ内を移動するので、光ファイバにかかる歪みを緩和することができる。
従って、構内に敷設する時の取扱い性の向上に寄与することができる。
【００５７】
【発明の効果】
請求項１記載の本発明によれば、光ケーブルは、Ｘ型介在に設けられたＸ字形状の隣り合う隔壁がなすそれぞれの扇形状の空隙領域に複数の光ファイバを収容配置しておき、Ｘ型介在を外周から外被で被覆するようにしてなるので、Ｘ型介在により分離されたそれぞれの空隙領域のクリアランスにより光ファイバは動き易くなり、光ケーブルに曲がりが加わった場合でも、光ファイバにかかる歪みを緩和することができる。また、従来の光コード層型光ケーブルやスロット型光ケーブルに比べ、同心数の場合には、光ファイバ以外の部分の断面積比が小さくなるので、光ケーブルの外径を小さくすることができ、また、光ケーブルの可とう性の向上に寄与することができる。従って、構内に敷設する時の取扱い性の向上に寄与することができる。
【００５８】
請求項２記載の本発明によれば、光ケーブルは、光ファイバに縦添えするとともにこの光ファイバに加わる外力を繊維材で緩和するようにしておき、Ｘ型介在に設けられたＸ字形状の隣り合う隔壁がなすそれぞれの扇形状の空隙領域に複数の光ファイバとともに繊維材を収容配置しておき、Ｘ型介在を外周から外被で被覆するようにしてなるので、長手方向の張力が加わった場合にその張力を繊維材により受け持つことができ、光ファイバにその応力が影響しないように緩和して保護することができる。
【００５９】
また、従来の光コード層型光ケーブルやスロット型光ケーブルに比べ、同心数の場合には、光ファイバ以外の部分の断面積比が小さくなるので、光ケーブルの外径を小さくすることができ、また、光ケーブルの可とう性の向上に寄与することができる。従って、構内に敷設する時の取扱い性の向上に寄与することができる。
【００６０】
請求項３記載の本発明によれば、光ケーブルは、Ｘ型介在に設けられたＸ字形状の隣り合う隔壁がなすそれぞれの扇形状の空隙領域に複数の光ファイバを収容配置し、光ファイバを収容配置したＸ型介在の外周を押えテープで押え巻きし、光ファイバに加わる外力を緩和するとともに押えテープの外周に繊維材を縦添え又は横巻きし、繊維材の外周を外被で被覆することで、Ｘ型介在により分離されたそれぞれの空隙領域のクリアランスにより光ファイバは動き易くなり、光ケーブルに曲がりが加わった場合でも、光ファイバにかかる歪みを緩和することができる。
【００６１】
また、長手方向の張力が加わった場合にその張力を繊維材により受け持つことができ、光ファイバにその応力が影響しないように緩和して保護することができる。従って、構内に敷設する時の取扱い性の向上に寄与することができる。
【００６２】
請求項４記載の本発明によれば、光ケーブルは、Ｘ型介在に設けられたＸ字形状の隣り合う隔壁がなすそれぞれの扇形状の空隙領域に複数の光ファイバを収容配置するとともに光ファイバに加わる長手方向の張力を抗張力体で緩和するようにしておき、光ファイバを収容配置したＸ型介在の外周を押えテープで押え巻きし、押えテープの外周を外被で被覆することで、Ｘ型介在により分離されたそれぞれの空隙領域のクリアランスにより光ファイバは動き易くなり、光ケーブルに曲がりが加わった場合でも、光ファイバにかかる歪みを緩和することができる。
【００６３】
また、長手方向の張力が加わった場合にその張力を抗張力体により受け持つことができ、光ファイバにその応力が影響しないように緩和して保護することができる。従って、構内に敷設する時の取扱い性の向上に寄与することができる。
【００６４】
請求項５記載の本発明によれば、それぞれの空隙領域に収容配置する光ファイバには、１本目にそれぞれの空隙領域を表す識別色を塗布し、２本目以降は心線番号を表す識別色を塗布しておくことで、容易に心線番号を識別することができ、誤配線を防止することができる。従って、構内に敷設する時の取扱い性の向上に寄与することができる。
【００６５】
請求項６記載の本発明によれば、抗張力体は、Ｘ型介在の中心部に設けられた鋼線又はＦＲＰからなることで、光ケーブルに長手方向の張力が加わった場合の張力を受け持ち、光ファイバにその応力が影響しないように緩和して保護することができる。従って、構内に敷設する時の取扱い性の向上に寄与することができる。
【００６６】
請求項７記載の本発明によれば、Ｘ型介在の扇形状の空隙領域に収納した光ファイバは、ＳＺ撚又は一方向撚を施してなることで、光ケーブルが曲げられても光ファイバが空隙領域内を移動するので、光ファイバにかかる歪みを緩和することができる。従って、構内に敷設する時の取扱い性の向上に寄与することができる。
【００６７】
請求項８記載の本発明によれば、Ｘ型介在と光ファイバをＳＺ撚または一方向撚で一体化したことで、光ケーブルが曲げられてもＳＺ撚または一方向撚された光ファイバが空隙領域内を移動するので、光ファイバにかかる歪みを緩和することができる。従って、構内に敷設する時の取扱い性の向上に寄与することができる。
【図面の簡単な説明】
【図１】本発明の第１の実施の形態に係る光ケーブルの構成を示す断面図である。
【図２】心線番号の識別方法を説明するための空隙領域、心線番号、色の対応関係を示す表である。
【図３】本発明の第２の実施の形態に係る光ケーブルの構成を示す断面図である。
【図４】本発明の第３の実施の形態に係る光ケーブルの構成を示す断面図である。
【図５】本発明の第４の実施の形態に係る光ケーブルの構成を示す断面図である。
【図６】従来の心線バンドル型光ケーブルを示す断面図である。
【図７】従来の光コード層型光ケーブルを示す断面図である。
【図８】従来のスロット型光ケーブルを示す断面図である。
【符号の説明】
１１，３１，４１，５１　光ケーブル
１３，５５　Ｘ型介在
１３ａ〜１３ｄ，５５ａ〜５５ｄ　隔壁
１５ａ〜１５ｄ　空隙領域
１９　外被
３３，４５　抗張力繊維材
４３　押えテープ
５３　抗張力体
【図１】
2004020954.tif 000003
【図２】
2004020954.tif 000004
【図３】
2004020954.tif 000005
【図４】
2004020954.tif 000006
【図５】
2004020954.tif 000007
【図６】
2004020954.tif 000008
【図７】
2004020954.tif 000009
【図８】
2004020954.tif 000010